(57)【要約】【課題】弓本体に対応する上下方向の握柄に、弓の弦に対応する弾性ゴムからなる伸縮体を取付けた弓道練習器であって、殊更本弓を使用することなく、弓道射法の基本をなす一連の動作を恰も実際の弓を握持した感覚で自由に練習でき、しかも実際の弓を使用した時には、射られた矢の的中率向上に寄与することができるようにする。【解決手段】上記握柄１の下端部には、握柄１を握持して伸縮体６を伸長した際に、上記握柄１を垂直状の適性位置に保持させるべき重錘１２を吊下すると共に、上記握柄１の上端側には、的の方向を透視する前後方向の透視孔１５を設けて、該透視孔１５から的を透視しながら握柄１の向きを的に向けて正対するように調整可能とした。【選択図】  図１
2004181002.tif 000002
【特許請求の範囲】
【請求項１】
弓本体に対応する上下方向の握柄に、弓の弦に対応する弾性ゴムからなる伸縮体を取付けた弓道練習器であって、上記握柄の下端部には、握柄を握持して伸縮体を伸長した際に、上記握柄を垂直状の適性位置に保持させるべき重錘を吊下すると共に、上記握柄の上端側には、的の方向を透視する前後方向の透視孔を設けて、該透視孔から的を透視しながら握柄の向きを的に向けて正対するように調整可能としたことを特徴とする弓道練習器。
【請求項２】
上記透視孔の開口径は手前側より順次前面側に向けて縮小されていることを特徴とする請求項１に記載の弓道練習器。
【発明の詳細な説明】
【０００１】
【発明の属する技術分野】
本発明は、弓道の射法を練習する練習器に係り、詳しくは、弓道を志す初心者が射法における基本的な動作を、実際の弓を持たずに効果的に練習することができる弓道練習器に関するものである。
【０００２】
【従来の技術】
一般にいわゆる弓の空射ちは、弓を傷めるので絶対にしてはならないとされている。このため弓道の初心者は、射法の基本的動作を体得するため、最初は実際の弓を持たずに弾性ゴム体等を利用した練習器を使用して射法八節にしたがった足踏み、胴造り、弓構え、打起し、引分け、会（かい）、離れ、および残身等の一連の動作を練習している。
【０００３】
そして一通りの基本的な動作を習得した後に、実際の弓を使用して矢を射ることになるが、この時、射られた矢を的に命中させる上で留意すべき点は、左手（押し手）で支持した弓本体の前面を的に向けて正対させると共に弓本体を前後左右に傾けることなく垂直状に保持することであると言はれている。
【０００４】
ところが従来の練習器は、例えば特開２００２−６５９２１号公報に開示されているように、短い握り棒の先端に複数本のゴム体を装着したいわゆるゴム弓であって、このゴム弓の握り棒を左手で把持して、右手で弦に対応するゴム体を引くものであるから、実際の和弓のように、長さが並寸で約２、２メートル（７尺３寸）位もある弓体を、その中央下方寄りを左手で支持して弦を引くものとは、弓本体を支持した時の左手のバランス感覚に大きな相違がある。
【０００５】
殊に、短い握り棒を左手で把持しただけの従来の練習器では、握り棒の前面が的に向けて正対しているか、また握り棒が垂直状に保持されているかどうかを正確に判断することが難しい。したがって、このような練習器で繰り返し練習しても、実際の弓によって射られた矢を的に命中させる上で必要な手の内の感覚を正確に会得することはできないという問題があった。
【０００６】
【本発明が解決しようとする課題】
本発明は、上記のような実情に鑑み、このような問題点を解消すべく全く新規な構想により創作されたものであって、その意図するところは、実際の弓を使用することなく射法の基本的な動作を自由に練習することができ、しかも、実際の弓を使用した時に矢を的に命中させる上で留意すべき手の内の感覚、すなわち弓本体の前面を的に向けて正対させると共に弓本体を垂直状に保持した時の手の内の感覚を正確に会得することができる弓道練習器を提供しようとするものである。
【０００７】
【課題を解決するための手段】
上記の課題を解決するため、本発明が講じた技術的手段は、弓本体に対応する上下方向の握柄に、弓の弦に対応する弾性ゴムからなる伸縮体を取付けた弓道練習器であって、上記握柄の下端部には、握柄を握持して伸縮体を伸長した際に、上記握柄を垂直状の適性位置に保持させるべき重錘を吊下すると共に、上記握柄の上端側には、的の方向を透視する前後方向の透視孔を設けて、該透視孔から的を透視しながら握柄の向きを的に向けて正対するように調整可能としたことを特徴とし、また、上記透視孔の開口径は手前側より順次前面側に向けて縮小されていることを特徴とするものである。
【０００８】
【発明の実施の形態】
次に本発明の実施の形態を、添付した図面に基いて詳細に説明する。まず、図１において、１は弓本体に対応する上下方向の握柄であって、該握柄１は、合成樹脂によって実際の弓と同様に断面形状が略台形状に形成されている。また握柄１の表面２には、その長手方向に長溝状凹部３が形成されており、該長溝状凹部３の両端部に貫通孔４、４が形成されている。
【０００９】
５は弾性ゴム体であって、該弾性ゴム体５は大径のゴム管体に小径のゴム管体を遊挿してなるものであって、所望の弾性とするため二重状あるいは三重状のものが使用されている。
【００１０】
そして上記弾性ゴム体５の両端部が長溝状凹部３の上端側にある貫通孔４に挿通されている。すなわち、所定長さの弾性ゴム体５を、２つ折り状としてその両端部を、長溝状凹部３に形成された貫通孔４、４のうち、上部側の貫通孔４に同時に挿通固定して弓の弦に対応する伸縮体６が形成されている。この場合、上部側の貫通孔４から突出した弾性ゴム体５の両端部５ａ、５ａを長溝状凹部３内に圧入し、ついで、この部分に布テープ７を巻いた後、握柄１の下方から上記布テープ７を覆うように熱収縮性樹脂からなるチューブ８を嵌めて熱収縮させることにより、弾性ゴム体５の両端部５ａ、５ａが長溝状凹部３に固定されている。
【００１１】
また、上記握柄１は、弾性ゴム体５の両端部を長溝状凹部３の上下端部に形成された貫通孔４、４に別々に挿通固定したものでもよい。すなわち、図２で示すように、弾性ゴム体５の両端部５ａ、５ａを上下の貫通孔４、４に別々に挿通し、長溝状凹部３側に突出した両端部５ａ、５ａを長溝状凹部３内に圧入し、この部分の周囲に帯状ゴム体９を捲装することによって両端部５ａ、５ａが固定されている。かくして握柄１の上下に挿通固定した弾性ゴム体５によって本弓の弦に対応する伸縮体１０が環状に形成されている。したがって、この環状部分を右手で引けば、会（かい）の動作から離れおよび残身の動作まで一貫して練習することが出来る。
【００１２】
１１は前記握柄１の下端に段差を形成して握柄１の軸心に一体的に突成された円柱状の支持杆であって、該支持杆１１には、握柄１を握持して弾性ゴム体５を伸長した際に、握柄１が垂直状に保持されるように作用する重錘１２が吊下されている。１３は上記重錘１２の取付用紐１４を取付ける吊下孔であって、この取付用紐１４を介して重錘１２を所望する重さのものに交換吊下可能となっている。
【００１３】
そして上記握柄１には、その上端側にある弾性ゴム体５の取付位置近傍に、的の方向を透視する前後方向の透視孔１５が形成されている。上記透視孔１５は図３で示すように、厚みのある握柄１の前面に対して軸心が直交状となっており、さらに前面側すなわち、的の有る側の開口径ａが手前側の開口径ｂより小さく形成されていて、手前側の開口径ｂから前面側の開口径ａに向けて順次縮小状となっている。
【００１４】
すなわち、実際の和弓における弓本体は、長板状の芯材と、この芯材の一方の面に接合される外竹、および他方の面に接合される内竹とで構成されているので、握柄１の部分もかなりの厚みを有するものである。したがって握柄１の部分を貫通して形成した透視孔１５は、握柄１の厚みに応じた中空筒状となる。
【００１５】
したがって、この透視孔１５の軸心を握柄１の前面に対して直交状とすれば、握柄１を把持した者が射法に従った一連の動作をする際に、透視孔１５から的の方向を透視しながら、前面側の開口径ａから的方向を視た視界が手前側の開口径ｂの中央にくるように握柄１の向きを調整することにより、握柄１の前面を的に向けて正確に対向した状態とすることができ、さらに握柄１の前後の傾きも修正される。なお上記透視孔１５の形状は、角形に限定されるものではなく、円形であってもよいことは勿論である。
【００１６】
上記の如き構成において、いま弓道の射法を練習するにあたり、握柄１の一端に設けた支持杆１１の吊下孔１３に取付用紐１４を介して重錘１２を吊下したのち、該握柄１を左手で握持し、右手で弾性ゴム体５からなる伸縮体６（９）を引けば、弓道の射法八節に従った一連の動作を、実際の弓を使用することなく自由に練習することができる。
【００１７】
そして、この一連の動作を行う際に、透視孔１５から的の方向を透視しながら、その前面側開口部ａの視界が手前側開口部ｂの中央にくるように握柄１の向きを調整するのみで、握柄１の前面を的に向けて正確に対向させることができる。この時、透視孔１５の開口径ａ，ｂは手前側より順次前面側に向けて縮小しているので、的の見える前面側開口部ａの視界を手前側開口部ｂの中央に容易に絞り込むことができる。
【００１８】
また、握柄１の軸心にある支持杆１１に吊下した重錘１２が握柄１を垂直状とするように作用しているので、握柄１の方向が重錘１２の吊下方向と一致するように左手の手の内を僅かに加減するのみで握柄１を垂直状に保持することができる。
【００１９】
したがって、この練習機による射法の練習を繰り返し行うことにより、射法に従った一連の動作を習得できるうえ、透視孔１５から的の方向を透視しながら握柄１の向きを加減調整することで、実際の弓本体の前面を的に向けて正対させると共に弓本体を垂直状に保持したときの手の内の感覚を、この練習機によって正確に会得することができて、実際の弓を使用した時の的中率向上に寄与することができる。
【００２０】
そして上記透視孔１５は握柄１を貫通して開口するのみでよいから、構造が簡単で製作が容易なうえ、練習中に弾性ゴム体５からなる伸縮体６、（９）が当って破損するようなことはない。
【００２１】
【発明の効果】
これを要するに本発明は、弓本体に対応する上下方向の握柄に、弓の弦に対応する弾性ゴムからなる伸縮体を取付けた弓道練習器であって、上記握柄の下端部には、握柄を握持して伸縮体を伸長した際に、上記握柄を垂直状の適性位置に保持させるべき重錘を吊下すると共に、上記握柄の上端側には、的の方向を透視する前後方向の透視孔を設けて、該透視孔から的を透視しながら握柄の向きを的に向けて正対するように調整可能とし、また、上記透視孔の開口径は手前側より順次前面側に向けて縮小されていることから、握柄を握持して伸縮体を引けば、弓道の射法における基本的な一連の動作を、実際の弓を持たずに効果的に練習することができる。
【００２２】
しかも、握柄に設けた透視孔から的の方向を透視しながら一連の動作を行えば、実際の弓を使用した時に弓本体の前面を的に向けて正対させると共に弓本体を垂直状に保持するという、矢を的中させる上で必要な手の内の感覚を自然に会得することができるので、的中率の向上に寄与することができるものである。
【図面の簡単な説明】
【図１】全体斜射視図
【図２】弾性ゴム体の切欠射視図
【図３】他の実施例の全体斜射視図
【符号の説明】
１      握柄
２      握柄の前面
３      長溝状凹部
４      貫通孔
５      伸縮ゴム体
６      伸縮体
７      布テープ
８      熱収縮性チューブ
９      帯状ゴム体
１０    環状の伸縮体
１１    支持杆
１２    重錘
１３    吊下げ孔
１４    取付用紐
１５    透視孔
【図１】
2004181002.tif 000003
【図２】
2004181002.tif 000004
【図３】
2004181002.tif 000005